(57)【要約】  関連するユーザのコミュニティのメディア・アイテム・レーティングに基づいたメディア・アイテム・レーティングをユーザに提供する方法、コンピュータ可読媒体及びシステムである。ユーザは、自分に関する情報をシステムに送る。システムは、ユーザを、ユーザ情報に基づいてユーザのあるコミュニティに配置し、コミュニティの他の構成員によるメディア・アイテム・レーティングに基づいて、コミュニティの構成員メンバーにメディア・アイテム・レーティングを供給する。
2008547108.tif 000002
【特許請求の範囲】
【請求項１】
関連するユーザのコミュニティのメディア・アイテム・レーティングに基づき、ユーザにメディア・アイテム・レーティングを提供する方法であって、
ユーザに、前記ユーザと関連する情報を収集して前記ユーザを関連するユーザのコミュニティの中でカテゴリ化するための選択要素を提示するステップと、
前記提示された選択要素に応答して前記ユーザからユーザと関連する情報を受け取るステップと、
前記受け取られたユーザと関連する情報に基づいて、前記ユーザを関連するユーザのコミュニティの中でカテゴリ化するステップと、
関連するユーザの前記コミュニティによる前記メディア・アイテムのレーティングに基づいて、前記ユーザによってアクセス可能なメディア・アイテムに対するコミュニティ・レーティングを提供するステップと、
を含むことを特徴とする方法。
【請求項２】
請求項１記載の方法において、ユーザと関連する情報を受け取る前記ステップは、前記ユーザと関連する人口学的情報を受け取るステップを含むことを特徴とする方法。
【請求項３】
請求項２記載の方法において、人口学的情報を受け取る前記ステップは、前記ユーザの年齢と前記ユーザの性別と前記ユーザの好適なメディア・アイテムのジャンルと前記ユーザの居住国と前記ユーザのメーリング・コードと前記ユーザの視聴分類と前記ユーザによって話される好適な言語との中の少なくとも１つと関連する情報を受け取るステップを含むことを特徴とする方法。
【請求項４】
請求項３記載の方法において、前記ユーザをカテゴリ化する前記ステップは、前記ユーザの年齢と前記ユーザの性別と前記ユーザの好適なメディア・アイテム・ジャンルとに基づいて前記ユーザを関連するユーザのコミュニティの中でカテゴリ化するステップを含むことを特徴とする方法。
【請求項５】
請求項３記載の方法において、
ユーザの活動レベルが最小スレショルドを超えるときには、前記ユーザによってレーティングがなされたメディア・アイテムのユーザ・レーティングを収集するステップと、
前記収集されたユーザ・レーティングを前記レーティングがなされたメディア・アイテムに対する前記コミュニティ・レーティングと組み合わせるステップと、
を更に含むことを特徴とする方法。
【請求項６】
請求項５記載の方法において、前記ユーザによってレーティングがなされたメディア・アイテムのユーザ・レーティングを収集する前記ステップは、前記ユーザに関する前記受け取られた人口学的情報を用いて前記ユーザ・レーティングにタグ付けするステップを更に含むことを特徴とする方法。
【請求項７】
請求項５記載の方法において、前記収集するステップは、前記ユーザ活動がメディア・アイテムのレーティングとメディア・アイテムの再生とメディア・アイテムのスキップとの中の少なくとも１つを時間周期Ｔの間に少なくともＸ回含むときに前記ユーザ・レーティングを収集するステップを含むことを特徴とする方法。
【請求項８】
請求項５記載の方法において、前記収集するステップは、前記ユーザ活動が時間周期Ｔ１の間の合計が範囲Ｒ１に含まれるメディア・アイテム・レーティングの記録と時間周期Ｔ２の間に合計が範囲Ｒ２に含まれるメディア・アイテムの再生との少なくとも一方を含むときに前記ユーザ・レーティングを含むことを特徴とする方法。
【請求項９】
請求項３記載の方法において、ユーザ活動のレベルが最大スレショルドを超えるときには前記ユーザによってレーティングがなされたメディア・アイテムのユーザ・レーティングの収集を拒絶するステップを更に含むことを特徴とする方法。
【請求項１０】
請求項２記載の方法において、人口学的情報を受け取る前記ステップは、人口学的情報の提出のユーザによる拒絶を受け取るステップを含むことを特徴とする方法。
【請求項１１】
請求項１０記載の方法において、前記ユーザをカテゴリ化する前記ステップは、人口学的情報の提出を拒絶する関連のユーザのコミュニティの中で前記ユーザをカテゴリ化するステップを含むことを特徴とする方法。
【請求項１２】
請求項１記載の方法において、提供する前記ステップは、前記コミュニティ・レーティングと関連しており前記コミュニティ・レーティングがある時間間隔の間で上向きの傾向があるのか前記時間間隔の間で下向きの傾向があるのか前記時間間隔の間でその位置を維持する傾向があるのかを指示する傾向インジケータを提供するステップを含むことを特徴とする方法。
【請求項１３】
請求項１記載の方法において、
ユーザの前記コミュニティによるレーティングの変化に基づいて少なくとも１つのメディア・アイテムに対する前記コミュニティ・レーティングを改訂するステップと、
提供された前記コミュニティ・レーティングを前記改訂されたコミュニティ・レーティングと交換するステップと、
を更に含むことを特徴とする方法。
【請求項１４】
請求項１記載の方法において、時間周期の少なくとも１つが経過する、ユーザがレーティング更新を要求する又はユーザが１又は複数の最小活動スレショルドを満たすときにはメディア・アイテムに対する前記コミュニティ・レーティングを改訂するステップを更に含むことを特徴とする方法。
【請求項１５】
請求項１記載の方法において、前記ユーザによって表現されたレーティングを用いて前記提供されたコミュニティ・レーティングをオーバライドするステップを更に含むことを特徴とする方法。
【請求項１６】
請求項１記載の方法において、
別のメディア・アイテムに対する自動ユーザ・レーティングを前記別のメディア・アイテムを用いたユーザの再生経験に基づいて生成するステップと、
前記提供するステップが前記別のメディア・アイテムに対するコミュニティ・レーティングを提供するステップを更に含むときには、前記別のメディア・アイテムに対する前記自動ユーザ・レーティングを、前記別のメディア・アイテムに対するコミュニティ・レーティングと交換するステップと、
を更に含むことを特徴とする方法。
【請求項１７】
請求項１記載の方法において、メディア・アイテムに対する前記コミュニティ・レーティングを提供する前記ステップは、音楽メディア・アイテムとスピーチ・メディア・アイテムとオーディオ・ブックとニュース・レポートと動画と映画の予告編とオーディオ・ブログと無線ブロードキャストとテレビジョン・ブロードキャストとイメージとコメディ・ルーチンとの中の少なくとも１つに対するコミュニティ・レーティングを提供するステップを含むことを特徴とする方法。
【請求項１８】
関連するユーザのコミュニティのメディア・アイテム・レーティングに基づくメディア・アイテム・レーティングをユーザに提供するコンピュータ実行可能な命令を有するコンピュータ可読な媒体であって、ステップを実行する前記コンピュータ実行可能な命令は、
ユーザに、前記ユーザと関連する情報を収集して前記ユーザを関連するユーザのコミュニティの中でカテゴリ化するための選択要素を提示する提示命令と、
前記提示された選択要素に応答して前記ユーザからユーザと関連する情報を受け取る受け取り命令と、
前記受け取られたユーザと関連する情報に基づいて、前記ユーザを、関連するユーザのコミュニティの中でカテゴリ化するカテゴリ化命令と、
関連するユーザの前記コミュニティによる前記メディア・アイテムのレーティングに基づいて、前記ユーザによってアクセス可能なメディア・アイテムに対するコミュニティ・レーティングを提供する提供命令と、
を含むことを特徴とするコンピュータ読取可能な媒体。
【請求項１９】
請求項１８記載のコンピュータ読取可能な媒体において、
ユーザの前記コミュニティによるレーティングの変化に基づいて前記メディア・アイテムに対する前記コミュニティ・レーティングを改訂する改訂ステップと、
前記提供された前記コミュニティ・レーティングを前記改訂されたコミュニティ・レーティングと交換するステップと、
を更に含むことを特徴とするコンピュータ読取媒体。
【請求項２０】
関連するユーザのコミュニティのメディア・アイテム・レーティングに基づいて複数のユーザにメディア・アイテム・レーティングを提供するシステムであって、前記複数のユーザはネットワークを介して前記システムに接続する、システムにおいて、
前記ネットワークに接続されており、それぞれのユーザから前記ユーザ関連情報を受け取るサーバと、
前記サーバに接続されており、前記ユーザのそれぞれからの前記情報を記憶するデータベースと、
を備えており、前記サーバは、
前記受け取られたユーザ関連情報に基づいて関連するユーザのコミュニティの中でそれぞれのユーザをカテゴリ化し、
前記ユーザの中の１人又は複数人からのメディア・アイテムに関する１又は複数のユーザ・レーティングを収集し、
前記メディア・アイテムのレーティングを行う前記ユーザから受け取られた前記ユーザ関連情報を用いて前記１又は複数の収集されたユーザ・レーティングをタグ付けし、
前記収集された１又は複数のユーザ・レーティングを前記データベースに記憶し、
前記コミュニティに属するユーザから収集されたレーティングだけに基づいて、レーティングがなされたそれぞれのメディア・アイテムに対するコミュニティ・レーティングを計算し、
前記メディア・アイテムに対する前記計算されたコミュニティ・レーティングの１又は複数を、前記レーティングと共に前記コミュニティを共有する１又は複数のユーザに提供することを特徴とするシステム。
【発明の詳細な説明】
【背景技術】
【０００１】
テクノロジーの最近の進歩により、コンピュータ・ユーザは、今携帯電話および他のポータブル・メディアデバイスと同様に動産、ラップトップおよびハンドヘルドコンピュータ上の遊ぶ各種メディアおよびマルチメディア内容のような改善されたユーザ・エクスペリエンスも提供する多くの特徴を楽しむことができる。例えば、ほとんどの今日のコンピューティング装置は、ユーザが楽しむために多種類のメディア・アイテムをすることができる。これらのコンピューティング装置は容易に何千ものメディア・アイテムをアクセスすることができる、作ること、そのようなメディア・アイテムの組織、手に負えないタスク。さらに、多くのそのようなデバイスが、さらに多くのメディア・アイテムを含んでいる、ベンダーに供給されたメディア・ライブラリーを見事にアクセスすることができる。例えば、媒体サービス（例えば購読サービス）を予約するシングルユーザは、容易に１００万の利用可能なメディア・アイテム上にアクセスしてもよい。そのような購読サービスは、個人使用のために調査し評価するために何人かのユーザに対するあまりにも多くのメディア・アイテム選択を提供するかもしれない。
【０００２】
ユーザはできる（慣例通りに）「スター・レート」メディアコンテンツのようなそれらの内容。１つのそのような従来の例において、ユーザは、１〜５のレーティングが星印を付けるメディア・アイテム、あるいは未評価のレーティングを譲渡することができる。これは各メディア・アイテムに関してユーザに６つの評価するオプションを与える。その後、彼のデバイス上のメディア・アイテムのプレイバックをコントロールするために、これらのレーティングはユーザによって使用されてもよい。例えば、ユーザは、それらのメディア・アイテムだけを経験するために高く評価されるメディア・アイテムだけがお気に入りを考慮したと遊びたいかもしれない。メディア・アイテムがユーザによって特に評価されない場合、レーティング、の「未評価の」メディア・アイテムに譲渡される。評価するオプションは、ユーザに媒体選択の新しいディメンションを提供する。使用法を評価する比較的単純な例は、４つのスターあるいは５つのスターのいずれかと評価されたメディア・アイテムのためのクエリを含んでいる「私の好きな歌」と呼ばれる自動再生リストの生成である。そのようなクエリは、１セットのメディア・アイテムに関する「旋回された見解」と名付けられるかもしれないものを可能にする。ユーザニーズ、もはやファイル名によって彼のメディア・アイテムを調査しない、しかし、もっと正確に言えば、ユーザはスターレーティングのようなメタデータ・タグを使用して、メディア・アイテムのセットを軸に回転することができる。
【０００３】
レドモンド（ワシントン州）のマイクロソフト株式会社によるウィンドウズ（登録商標）メディア・プレイヤー（登録商標）バージョン１０のような従来のメディア・プレイヤーは、メタデータ・タグに基づいたそのような自動ピボットを考慮に入れて、可能になったスターレーティングである。そのような特徴は、それらの内容を評価するのに必要な労力を出すユーザのための有用なツールである。不運にも、多くのユーザが、それらがアクセスするメディア・アイテムの多くを並べるのに必要な労力を投資しない。したがって、ユーザレーティングを自動的にあるいはより容易に提供することができるシステムか方法は高価値を持つ。このトピックと関係する、そのような共同所有された１つの特許情報開示は、メディアコンテンツ、ファイルされた２００３年７月１８日のための有効なレーティングとタイトルをつけられた特許出願出願番号１０／６２２，９７１である。１例において、メディア・アイテムのレーティングは、それが存在した場合にユーザのレーティングである準備ができていた、あるいはほかに、メディア・アイテム再生回数データのような他のデータによって計算された自動レーティング。他の従来方式では、外部サービスプロバイダーとして働く「人事考課ソース」は、ユーザにメディア・アイテム・レーティングを供給する。そのようなサービスでは、ユーザがサービスによって提示されたレーティングを信頼すれば、手動でメディア・アイテムを評価する知覚された必要が縮小される。レーティングサービスに頼るユーザは、手動でメディア・アイテム自体を評価する労力を投資してはならない、まだメディア・アイテム・レーティングに基づいたピボットの給付金をすべて獲得する。ユーザが３００の古いコンパクトディスク（ＣＤ）を持っている別の例を考慮してください。ユーザは、彼らのコンピューティング装置へＣＤのこの収集を裂くことができる、そして、サービスレーティングの使用を通じて、すべての、なおさら望ましいメディア・アイテムが４つあるいは５つのスターと評価されている一方、それほど望ましくないメディア・アイテムは自動的に１つのスターと評価される。ユーザによる労力なしで、数千のメディア・アイテムのこのライブラリは、ユーザによって使用のために速く評価されるかもしれない。
【０００４】
上に記述されたシステムはユーザに有益であるが、それらは次の欠点に特に苦しむかもしれない。最初に、ユーザは、レーティングサービス・プロバイダーによって提供されるレーティングのうちのいくつかに賛成してはならない、そのようなもの、提供されるレーティング、ユーザの味と一致しないために。次に、ユーザには、サービス・プロバイダーによって提供される現在のレーティングあるいは将来のレーティングを変更するサービス・プロバイダーに、彼のプレファレンスを伝えるわずかな手段があってもよい。第３に、レーティングは大部分は時間にわたって変わらないかもしれない。それは古くなって停滞したリスニング体験に先行するかもしれない。
【０００５】
不運にも、これらの問題は、どんな従来方式によっても十分に扱われない。従来のテクニックは特別のメディア・アイテムにたった１つのレーティングを供給する。そのような従来のテクニックは、特別のユーザに適合したレーティングを提供しない。そこに、必要である、したがって、システムまたは方法のために、ユーザの特別のコミュニティでユーザを置くために使用されるかもしれないユーザに関する情報に基づいたユーザにレーティングを供給することができる。言いかえれば、システムか方法は、ユーザにユーザが評価したかもしれないものとより緊密に提携するユーザレーティングを供給するかもしれない、持っていた、彼、彼自身メディア・アイテムと考えられた。コミュニティの提供−ユーザに関係があり、ユーザコミュニティ内の各ユーザを置く情報に基づいた、基づいたレーティング、望ましい。
【発明の概要】
【０００６】
次の単純化されたサマリーは、現在のテクノロジーのいくつかの様相の基礎的な概観を提供する。このサマリーは広範囲な概観ではない。それは、キーか重大なエレメントを識別するかあるいはこのテクノロジーのスコープを描写するようには意図されない。このサマリーは、要求された主題のスコープの決定における援助として使用されるようには意図されない。その目的は、下に示されたより多くの詳述の前にテクノロジーと関係する、いくつかの単純化された概念を示すことである。
【０００７】
従って、関連するユーザのコミュニティのメディア・アイテム・レーティングに基づいたメディア・アイテム・レーティングをユーザに提供する方法（あるいはシステム）は、これらおよび他の損失の１つ以上をアドレスすることが望まれる。例えば、発明のいくつかの実施例は、ユーザがユーザに全くあるいは部分的になじみがないかもしれないメディア・アイテムの大きなライブラリを評価するのを支援することには良く適するかもしれない。有利に、現在の発明のいくつかの様相は、ユーザが、彼がアクセスするメディア・アイテムを調査し並べなければならないことのではなく、ユーザの彼のコミュニティ内の他のユーザから集められたレーティングを利用することを可能にするかもしれない。
【０００８】
以上で、他の特徴は一部明白になり、一部は以下において指摘される。
【発明を実施するための最良の形態】
【０００９】
地域密着型のメディア・アイテム・レーティングを提供するためのシステム
図１を指して、２１で一般に示されたシステムは、関連するユーザのコミュニティ２７のメディア・アイテム・レーティングに基づいたメディア・アイテム・レーティングを複数ユーザ２３に提供するために示される。図１に描かれるように、ユーザ１およびユーザ２はコミュニティＡに属する。ユーザ３およびユーザ４はコミュニティＢに属する。また、ユーザＮはコミュニティＮに属する。１つの当業者によって容易に評価されるであろうように、コミュニティ２７のどんな数も現在の発明のスコープから外れずに、他の代替具体化の中で定義されるかもしれない。いったん定義されたならば、それらのコミュニティ２７の各々は現在の発明のスコープから外れずに、ユーザ２３のどんな数も含んでいるかもしれない。ここに使用されるように、項メディア・アイテムは複数フォーマット、含有、音楽、スピーチ、オーディオブック、ニュースレポート、映画、映画の予告編、オーディオ・ブログ、無線局、テレビ番組、イメージおよびコメディー・ルーチンの媒体ファイルを特に含む。１例において、ユーザ２３は、メディア・アイテムにアクセスするためにクライアント計算機１３０（図１および５を参照）に関するメディア・プレイヤー・プログラムを利用してもよい。そのようなメディア・プレイヤーの一例は、レドモンド（ワシントン州）のマイクロソフト株式会社によるウィンドウズ（登録商標）メディア・プレイヤー（登録商標）である。すべて１３０と呼ばれて、図１、項クライアント、コンピュータ、クライアント計算機あるいはコンピューティング装置に示されたように、各ユーザによって利用された、動産、ラップトップ、タブレットおよびハンドヘルドコンピュータを含み、これらに限定されずに、異なるデバイスのどんな数も含んでもよい、携帯電話（特に）および他のポータブル・メディアデバイスと同様に。
【００１０】
図１に描かれたシステム２１は、データベース３１およびサーバ３３を含むいくつかの成分を含む。複数ユーザ２３はクライアント１３０およびネットワーク３５によってシステム２１への接続に適している。クライアント１３０は、３９、ネットワークによってユーザ関連の情報を集めるための選択素子を持った各ユーザ２３で示すためのネットワーク３５への接続に適している。サーバ３３も、個々のそれぞれのユーザ２３から４１で、ユーザ関連の情報を得ることに適している。システム２１のデータベース３１は、ユーザ２３の各々からの情報を格納するためのサーバ３３に４２で接続に適している。サーバは次のアクションを上演するようにさらに構成される、特にすなわち、それぞれのコミュニティの各ユーザを分類する、メディア・アイテムの１つ以上のユーザレーティングを集める、データベースに１つ以上の集めたユーザレーティングを格納する、各評価されたメディア・アイテムのコミュニティレーティングを計算する、計算されたコミュニティレーティングの１つ以上を提供する。そのようなシステム２１の詳細なオペレーションは、現在の発明（それはそのようなシステム上で雇われるかもしれない）の方法に関してより非常に詳しく下に例えば議論されるだろう。あるいは、詳細にここに示されないが、方法と互換性をもつものとして容易に１つの当業者によって理解された他のシステムは、下に議論した。１つの当業者によって容易に理解されるであろうように、前述のシステム２１は、システムを使用するワールド・ワイド・ウェブあるいは他の情報源を現在アクセスすることはユーザ２３に要求しない。一旦システム動作の１つ以上が生じたならば、システム２１はローカルに実行されるかもしれない、それによって１つ以上のユーザ２３は、ネットワーク３５にアクセスしないことによりどんな追加情報も示さないし受け取らないことに期間の間決めてもよい。
ユーザに地域密着型レーティングを提供する方法
以下では、図２ないし図２Ｂを参照して、関連するユーザのコミュニティ２７の個々の構成員からの個々のメディア・アイテム・レーティングに基づくコミュニティ・メディア・アイテム・レーティングをユーザ２３に提供する本発明による方法を開示する。本発明は、４３において、ユーザ２３に、関連するユーザのコミュニティ２７におけるユーザをカテゴリ化するために、当該ユーザと関連する情報を収集する選択要素を提供する。この情報は、ユーザ２３と関係する任意のタイプのものでありうる。本発明による方法は、更に、４５において、提示された選択要素素子に応答して、ユーザ２３からユーザ関連情報を受け取ることを含む。ある例では、この情報は、ユーザ２３と関係する人口学的情報を含む。例えば、そのような人口学的情報は、制限を意味せず、他のものが含まれうるが、ユーザの年齢、ユーザの性別、ユーザの好適なメディア・アイテム・ジャンル、ユーザの居住国、ユーザのメーリング・コード、ユーザの視聴分類、ユーザが用いる言語などを含む。ここで列挙されない付加的な人口学的情報も、いくつであっても、特許請求の範囲の範囲から逸脱することなく、他の実施例では考察可能である。１例では、人口学的情報を受け取ることは、人口学的情報の提出に対するユーザ拒否を受け取ることを含むことがありうる。特に、そのようなユーザ２３をカテゴリ化することは、人口学的情報を提出することを拒絶する関連するユーザのコミュニティ２７の中にユーザを分類することを含む。このような柔軟性により、異なるユーザ２３が、レーティングコミュニティに多様な情報量を開示することを可能にする。例えば、これにより、個人的ではない識別情報であってもシステム２１に提出を拒む特定のユーザ２３がレーティング・コミュニティに情報をまったく開示しない状態であっても、そのようなユーザは、情報を提出することに積極的でないコミュニティとしてグループ化することが可能になる。
【００１１】
本発明による方法は、さらに４７で、受信ユーザ関連の情報に基づいて、関連するユーザのコミュニティ２７のユーザ２３を分類する。このカテゴリー分類プロセスは、単に非個人情報の共有によりどんなプライバシー論争も引き起こさずに、同様の心の他のものを持ったコミュニティ２７にうまが合うユーザ２３を入れるために用いられる。
【００１２】
１例では、そのような分類は、ユーザの年齢、ユーザの性別およびユーザの好適なメディア・アイテム・ジャンルに基づいて、関連するユーザのコミュニティ２７のユーザ２３を分類することを含む。この例では、４つの年齢集団が考察される。すなわち、１３−１８歳、１９−２６歳、２７−４５歳、４５歳以上、である。さらに、男性及び女性という２つの性別の選択が利用可能である。更に、次の好ましい７つのジャンルを考えることができ、その中から１つを選択できる。すなわち、（ｉ）すべてのジャンル（すべてのタイプの音楽）、（ｉｉ）イージー・リスニング（ジャズ、ニューエージ、フォーク、Ｒ＆Ｂ、ソウル、ボーカル、カントリ）、（ｉｉｉ）メインストリームのポップ／ロック（ポップ、ロック、オルタナティブ、ラップ、ヒップホップ）、（ｉｖ）よりヘビーなロック（メタル）、（ｖ）クラシック、（ｖｉ）ダンス及びエレクトリカ、（ｖｉｉ）ワールド、である。ユーザは、いったん３つすべての情報を提供すると、回答が似ていたユーザと同じカテゴリに分類される。このようにして、この例では、３つの質問のそれぞれが、４、２、７の回答が可能であり、合計５６の（４×２ｘ７＝５６）ユーザコミュニティ２７が定義される。言いかえれば、上の３つの質問に答えたユーザ２３は、これらの質問に同じように回答した他のユーザと一緒のコミュニティ２７の中に分類される。このカテゴリ分類は、それぞれのコミュニティ２７の中に、同様のユーザ集団を生じさせることになる。３つの質問によって作られた５６のコミュニティ２７に加えて、現在の例は、さらに２つのスタンド・アロンのカテゴリを含んでいる。すなわち、自分自身を１３歳未満であるとするユーザ２３のための１３未満のコミュニティと、年齢、性別及び好きなジャンルに関して情報を提供することを好まないユーザたちの開示されていないコミュニティと、である。１３歳未満のユーザ２３は、別のスタンドアロンの集団の中に配置され、そのようなユーザに対しては年齢に適した経験を提供しようとするものである。これらのユーザ２３は、性別又は好きなジャンルを求められない。以上によって、この例での集団の全体数は５８（５６＋２）となる。したがって、それぞれのユーザ２３は、同様のユーザと一緒に、ある１つのコミュニティ２７に含まれる。この重要性は、以下で詳細に論じられる。この例では、音楽のメディア・アイテムに関係するが、本発明は、他のタイプのメディア・アイテムにも適用可能である。
【００１３】
別の例では、追加的な質問及び回答の選択肢が含まれており、それにより、多くのより特殊なコミュニティ２７は作られる可能性がある。特に、９つの年齢集団を考察することができる。年齢の開示なし、６−１２歳、１３−１６歳、１７−２３歳、２４−２９歳、３０−３９歳、４０−４９歳、５０−５９歳、６０歳以上、という分類である。男性及び女性という２つの性別が選択できる。好適なジャンルについては、２０でも５０でも又はどのような数にも拡大可能であり、その中からユーザが複数個を選択するようにもできる。さらに、ユーザは、地理的な位置情報（例えば、郵便番号、州及び／又は都市）を提出することを求められる可能性もある。ユーザ２３は、それぞれが、少数の例を列挙してみると、例えば、メディアフリーク、熱狂家、積極的リスナ、受動的リスナなどから構成されるユーザ・クラスのスペクトルに沿ってカテゴリ化することを求められる可能性がある。当業者がこの明細書の残りを読めば理解できるように、より多くのユーザ情報を要求しより多くのコミュニティ２７を作ることによって、システム２１への計算上の負担は急速に増加する。したがって、システムを計算上の観点から圧迫しないように、適切な数のコミュニティ２７を作成し、集団の間での意味のある区別が可能なように調整することが必要である。
【００１４】
いったんユーザ２３がそれぞれ特別のコミュニティ２７で分類されれば、本発明による方法は、さらに、５１において、関連するユーザのコミュニティ２７による少なくとも１つのメディア・アイテムに関するレーティングに基づいて、ユーザによってアクセス可能な少なくとも１つのメディア・アイテムに対するコミュニティ・レーティングを提供する（図２を参照）。もう一度注意を喚起しておきたいが、本発明の方法は、特許請求の範囲から逸脱することなく、他の実施例における異なる様々なメディア・アイテムに対するレーティングも想定している。それには、音楽のメディア・アイテム、スピーチ・メディア・アイテム、オーディオ・ブック、ニュース・レポート、動画、映画の予告編、オーディオ・ブログ、ラジオ放送、テレビ放送、イメージ、コメディ・ルーチンなどが含まれる。
【００１５】
ある例では、提供には、さらに５１において、コミュニティ・レーティングがある時間間隔において上方へ向かっているか、下方へ向かっているか、又はその位置を維持する傾向にあるかを指示する傾向インジケータを提供することを含む。図３に示されるように、このレーティング傾向情報は、任意の数の方法でユーザ２３に伝えることができる。例えば、最初の傾向インジケータ５５Ａは、レーティングの傾向と関係する情報なしで、４つ星の中で３星というコミュニティ・レーティングを示す。第２の傾向インジケータ５５Ｂは、５星の中で３星というレーティングをさらに示すだけでなく、コミュニティ・レーティングが３星から５星に向かっていることを示し、５星のうちの４星のまわりに暗いアウトラインを含んでいる。３番目の傾向５５インジケータＣは、同様に５星のうちの３星のレーティングを示し、５星のうちの２星だけが暗いアウトラインを含むため、コミュニティ・レーティングが下方へ向かっていることを示している。これらの３つの傾向インジケータ、５５Ａ、５５Ｂ、５５Ｃは、それぞれ、３星という同じコミュニティレーティングを示し、また、レーティングが向かっている方向に関する追加情報も提供している。他の傾向インジケータも図３に示されている。傾向矢印を含む４番目の傾向インジケータ５５Ｄ、別の反復的なグラフィクス（例えば、ドット）を含む５番目の傾向インジケータ５５Ｅ、傾向パターンを示すマーカ・グラフィクスを含む６番目の傾向インジケータ５５Ｆ、傾向線を用いる７番目の傾向インジケータ５５Ｇ、そして、グラジアント・バー・グラフィクスを用いている８番目の傾向インジケータ５５Ｈである。他の実施例では他の傾向インジケータを考えることもでき、それも、本発明の範囲に含まれる。
【００１６】
別の例では、この方法は、更に、５７において、別のメディア・アイテムを用いたユーザ２３の再生経験に基づいた別のメディア・アイテムのための自動的なユーザレーティングを生成する（図２Ｂを参照）。このような行為により、ユーザの行為に単独で基づいて、システム２１が未評価のメディア・アイテムが評価されることが、追加的な労力なしで可能になる。しかし、コミュニティレーティングを活性化したまま、この方法は、５９において、自動的なユーザレーティングをメディア・アイテムのためのコミュニティレーティングと交換することが可能である。しかし、ユーザ２３が直接にメディア・アイテムを評価することによりユーザ自身の見解を示す場合には、この方法は、６１において、特別のメディア・アイテムに関してユーザによって表現されたレーティングを用いて、コミュニティレーティングを書き換える（オーバライドする）ことがある（図２を参照）。このように、タイプのレーティングを行う階層（ヒエラルキ）は、コミュニティレーティングをオーバライドするダイレクトユーザレーティングと、自動レーティングをオーバライドするコミュニティレーティングと共に作られる。このヒエラルキにより、システム２１がユーザ２３を満足させるであろうレーティングを使用することを保証する。
【００１７】
システム２１は、さらにコミュニティレーティングを準備する際に、どのユーザレーティングが利用されるか決める基準を含んでいる。例えば、メディア・アイテムを非常にまれにしかレーティングしないユーザ２３は、コミュニティレーティングへの寄与に関しては有用なソースと考えられない。したがって、１例において、この方法は、さらに６３において、ユーザ活動レベルが最小スレショルド（しきい値）を超えるときには、ユーザ２３によってレーティングがなされたメディア・アイテムのユーザレーティングを収集するステップを含む（図２Ａを参照）。これは、ある最小（メディア・プレイヤーのメディア・アイテムのレーティング中のスレショルド）でユーザ２３が関係していることを保証する。この例において、この方法は、さらに６５で、収集されたユーザレーティングと、レーティングのなされたメディア・アイテムに対するコミュニティレーティングとを組み合わせることができる。その結果、ユーザ２３によって表明された見解は、コミュニティレーティングに影響を洗えることになる。このしきい値を満足しないユーザ２３のレーティングは、コミュニティレーティングの集計において、組み合わせられない。ユーザ２３によって評価（レーティング）されたメディア・アイテムのユーザレーティングの収集は、６７において、ユーザと関係する受け取られた人口学的な情報を用いて、ユーザレーティングでタグ付けすることを含む。言いかえれば、３５歳の男性でクラシックのメディア・アイテムを好む特別のユーザによるレーティングは、それぞれ、男性、２７歳−４５歳、クラシックというジャンル・コミュニティ２７が有することになる。ユーザ２３からサーバ３３へユーザ・アクティビティの決定のために送られたＸＭＬファイルの一例は、付録Ａ（アペンディクス）に含まれている。さらに、前述のＸＭＬ文書には、ユーザ２３にサーバ３３が返すＸＭＬファイルの一例も含まれている。このようなファイルは例示であって、制限を意図していない。
【００１８】
別の例において、メディア・アイテムのユーザレーティングの収集は促進するかもしれない、さらに６３で、収集を含む、ユーザレーティング、ユーザ・アクティビティがメディア・アイテムを評価するか、メディア・アイテムを演じるか、メディア・アイテムを少なくともスキップする少なくとも１つを含む場合、時限Ｔの内のＸの回数。これはユーザ・アクティビティのより特殊な手段の例である。例えば、ユーザ２３は、レーティング、一週間以内に資格を得るために演じること、あるいは飛び越しメディア・アイテムの５００のアクションを上演する必要があるかもしれない（システム２１によるユーザレーティングの収集には十分に活発なもの）。現在の発明の範囲内で、他の代替的な実施例によって要求される他の量の活動もありうる。
【００１９】
まだ適切なユーザ・アクティビティを確認する別の例では、メディア・アイテムのユーザレーティングの収集は促進するかもしれない、さらに６３で、収集を含む、ユーザ２３アクティビティが多くのメディア・アイテム・レーティングを記録する少なくとも１つを含む場合のユーザレーティング、達すること、に、時限Ｔｌの間の範囲Ｒｌおよび多くのメディア・アイテムを演じることの内に、達すること、に、時限Ｔ２の間の範囲Ｒ２の内に。そのような要求は、問題のユーザ２３が積極的に評価しメディア・アイテムの十分な数を積極的に演じることであることを保証する。１つの当業者によって評価されるであろうように、アクティビティ要求のどんな数も要求された発明のスコープから外れずにインプリメントされるかもしれない。
【００２０】
どのユーザが成績評定収集に適切なアクティビティレベルを公開しているか決めることを越えて、それは、さらにからかわれたレーティングの収集を最小化するシステム２１、あるいは特別のメディア・アイテムのコミュニティレーティングに人為的に影響することを目指したユーザからの多数のレーティングにとって重要である。この例において、方法は７１、ユーザ活動水準が最大スレッショルドを超過する時、ユーザ２３によって評価されたメディア・アイテムのユーザレーティングの収集で拒絶することをさらに含むかもしれない（図２を参照）。例えば、他のすべてのメディア・アイテムを１つのスターと評価する間に一人の芸術家のメディア・アイテムをすべて５つのスターと評価するユーザ２３のレーティングは、最大スレッショルドの超過として拒絶されるかもしれない。このユーザ２３は、他のメディア・アイテム上のメディア・アイテムの特定グループを促進しようとして、システム２１をからかっていると仮定される。他の実施例では、過度のユーザ・アクティビティを決定するための他のトリガーも要求された発明のスコープから外れずに雇われるかもしれない。
【００２１】
さらに、別の例において、方法は、７５において、改訂されたコミュニティレーティング（図２を参照）を備えた提供されるコミュニティレーティングで７３、ユーザのコミュニティによってレーティング変更に基づいた、少なくとも１つのメディア・アイテムのためのコミュニティレーティングおよび交換で改訂することを含む。コミュニティ・ユーザレーティングのこのアップデートは、レーティングが最新のままであることを保証する。別の例において、時限の少なくとも１つが通過する場合、方法は、７７で、メディア・アイテムのためのコミュニティレーティングを改訂する、１つの、ユーザリクエストはレーティングを更新した。また、ユーザは１つ以上の最小のアクティビティしきい値に会う。地域密着型レーティングを提供するためのコンピュータ可読媒体
現在の発明の実施例はコンピュータがあって、１つ以上のコンピュータが読める媒体、図４の中の一般に示された８１をさらに含むかもしれない−関連するユーザのコミュニティのメディア・アイテム・レーティングに基づいたメディア・アイテム・レーティングをユーザに提供するための実行可能命令。項目（コンピュータ）中での実行可能命令は関連するユーザのコミュニティのユーザの分類のためにユーザと関係する収集情報用の選択素子をユーザに提示するための命令を示すことを含む。その命令はさらに示された選択素子に応じてユーザから受信ユーザ関連の情報のための命令を受けて受信ユーザ関連の情報に基づいた、関連するユーザのコミュニティのユーザを分類するための命令を分類することを含んでいる。その命令は関連するユーザのコミュニティによってメディア・アイテムのレーティングに基づいたユーザによってアクセス可能なメディア・アイテムにコミュニティレーティングを供給するための命令を提供することをさらに含んでいる。１例において、命令はユーザのコミュニティによってレーティング変更に基づき、提供されるコミュニティレーティングを改訂されたコミュニティレーティングに取り替えるための命令を交換するメディア・アイテムのためのコミュニティレーティングを改訂するための命令を改訂することを含んでいる。
汎用計算機
図５は、汎用の計算機の１つの例を、コンピュータ１３０の形で示す。本発明の１つの実施例では、コンピュータ１３０のようなコンピュータが、この出願において図解され説明されている他の図面での使用に適している。ある一例では、上に議論されたクライアントすなわちユーザ、コンピュータ又は装置は、コンピュータ１３０によって具体化することができる。コンピュータ１３０は、更に、１つ以上のプロセッサ又は演算処理装置１３２と、システム・メモリ１３４とを有する。図解されている実施例では、システム・バス１３６は、システム・メモリ１３４を含む様々なシステム・コンポーネントをプロセッサ１３２に結合する。バス１３６は、複数のタイプのバス構造の中の任意のものの１又は複数を表しており、これには、メモリ・バス又はメモリ・コントローラ、周辺バス、加速グラフィクス・ポート、プロセッサ又は様々なバス・アーキテクチャの任意のものを用いるローカルバスが含まれる。制限ではなく例示であるが、このアーキテクチャには、インダストリ・スタンダード・アーキテクチャ（ＩＳＡ）バス、マイクロチャネル・アーキテクチャ（ＭＣＡ）バス、エンハンストＩＳＡ（ＥＩＳＡ）バス、ビデオ・エレクトロニクス・スランダーズ・アソシエーション（ＶＥＳＡ）ローカル・バス、メザニン・バスとして知られているペリフェラル・コンポーネント・インターコネクト（ＰＣＩ）バスが含まれる。
【００２２】
典型的には、コンピュータ１３０は、コンピュータ可読媒体の何らかの形式を有する。コンピュータ読取り可能な媒体（揮発性及び不揮発性の媒体、取外し可能および取り外し不可能な媒体を含む）は、コンピュータ１３０によってアクセスすることができる任意の利用可能な媒体でありうる。制限ではなく例示であるが、コンピュータ読取り可能な媒体は、コンピュータ記憶装置媒体および通信媒体を含む。コンピュータ記憶媒体は、揮発性及び不揮発性、取り外し可能及び取り外し不可能な媒体を含み、これらは、コンピュータ読取り可能な命令、データ構造、プログラム・モジュール又はそれ以外のデータなどの情報を記憶するために、任意の方法又は技術で実現可能である。ある例では、コンピュータ記憶媒体は、ＲＡＭ、ＲＯＭ、ＥＥＰＲＯＭ、フラッシュ・メモリ又は他のメモリ技術、ＣＤ−ＲＯＭ、デジタル・バーサタイル・ディスク（ＤＶＤ）又は他の光学ディスク記憶装置、磁気カセット、磁気テープ、磁気ディスク記憶装置又は他の磁気記憶装置、所望の情報を記憶するために使用することができコンピュータ１３０によってアクセスが可能な他の媒体などである。通信媒体は、典型的には、コンピュータ読取り可能な命令、データ構造、プログラム・モジュール、搬送波又は他の転送機構などの変調データ信号におけるデータであって任意の情報配送媒体を含むものである。当業者は、変調データ信号に精通しており、変調データ信号は、１又は複数のの特徴を有し、信号における情報を符号化するように変更されている。有線（ワイアード）ネットワーク又はダイレクト・ワイアード接続のような有線媒体や、音響、ＲＦ、赤外線、それ以外の無線媒体などの無線媒体が、通信媒体の例である。上述した任意のものの組合せも、コンピュータ可読媒体の範囲に含まれる。
【００２３】
システムメモリ１３４は、取外し可能及び／又は取り外し不可能、揮発性及び／又は不揮発性のメモリの形態を有するコンピュータ記憶媒体を含む。図解された実施例では、システムメモリ１３４は、リードオンリメモリ（ＲＯＭ）１３８と、ランダムアクセスメモリ（ＲＡＭ）１４０とを含む。コンピュータ１３０内の構成要素の間で情報を転送することを支援する基本ルーチンを含む基本入力及び出力システム１４２（ＢＩＯＳ）は、ＲＯＭ１３８に典型的に格納される。ＲＡＭ１４０は、処理ユニット１３２によって直ちにアクセス可能であり及び／又は現在動作がなされているデータ及び／又はプログラムモジュールを含む。制限ではなく例示であるが、図５は、オペレーティングシステム１４４、アプリケーション・プログラム１４６、他のプログラムモジュール１４８、プログラムデータ１５０を図解している。
【００２４】
コンピュータ１３０は、さらに、他の取外し可能な／非取外し可能、揮発性／不揮発性のコンピュータ記憶媒体を含みうる。一例として、図５は、取り外し不可能で不揮発性の磁気媒体との間で読み書きを行うハードディスク・ドライブ１５４を図解している。図５は、さらに取外し可能で不揮発性の磁気ディスク１５８から読むか、書く磁気ディスク装置１５６、およびＣＤのような取外し可能で不揮発性の光ディスク１６２から読むか、書く光ディスクドライブ１６０を示す−ＲＯＭあるいは他の光学の媒体を示している。取外し可能な／非取外し可能な他のもの、揮発性の／不揮発性のコンピュータ記憶装置媒体、それは典型的な操作環境加算の中で使用することができるが、制限は意味しない。磁気カセットテープ、フラッシュ・メモリカード、ディジタル・バーサタイル・ディスク、デジタルビデオテープ、ソリッドステートＲＡＭ、ソリッドステートＲＯＭ、などを用いることができる。ハードディスク・ドライブ１５４と磁気ディスク装置１５６と光ディスクドライブ１６０とは、インターフェース１６６などの不揮発性メモリ・インターフェースによって、システム・バス１３６に典型的に接続される。
【００２５】
上に議論され図５に例証されたドライブあるいは他の大記憶装置、また、それらの関連するコンピュータ記憶装置媒体は、コンピュータ１３０のためにコンピュータ読取り可能な命令、データ構造、プログラムモジュールおよび他のデータの記憶を提供する。図５では、例えば、ハードディスク・ドライブ１５４は、オペレーティングシステム１７０、アプリケーション・プログラム１７２、他のプログラムモジュール１７４およびプログラム・データ１７６を記憶するものとして図解されている。これらは、オペレーティングシステム１４４、アプリケーション・プログラム１４６、他のプログラムモジュール１４８およびプログラムデータ１５０と同じ場合も異なる場合もある。オペレーティングシステム１７０、アプリケーション・プログラム１７２、他のプログラムモジュール１７４およびプログラムデータ１７６には、それらが異なるコピーであることを示すために、ここでは異なる参照番号を与えられる。
【００２６】
ユーザは、入力装置あるいはキーボード１８０およびポインティング・デバイス１８２（例えばマウス、トラックボール、ペンあるいはタッチパッド）のようなユーザ・インターフェース・セレクション・デバイスなどの入力装置又はユーザ・インターフェースを介して、コンピュータ１３０にコマンド及び情報を入力する。他の入力装置（図示せず）として、マイクロホン、ジョイスティック、ゲーム・パッド、カメラ、スキャナーなどが含まれる。これらおよび他の入力装置は、システム・バス１３６に結合されているユーザ入力インターフェース１８４を介して処理ユニット１３２に接続されるが、パラレルポート、ゲームポート、ユニバーサルシリアルバス（ＵＳＢ）のような他のインターフェース及びバス構造による接続も可能である。モニタ１８８あるいは他のタイプの表示装置も、ビデオインタフェース１９０のようなインターフェース経由でシステム・バス１３６に接続される。モニタ１８８に加えて、コンピュータは、しばしば、プリンタとスピーカのような他の周辺の出力デバイス（図示せず）を含むが、これらは、アウトプット周辺インタフェース（図示せず）によって接続される。
【００２７】
コンピュータ１３０は、リモートコンピュータ１９４のような１つ以上のリモートコンピュータへの論理結合を使用して、ネットワーク化された環境において動作可能である。リモートコンピュータ１９４は、パーソナルコンピュータ、サーバ、ルータ、ネットワークＰＣ、ピア・デバイスあるいは他の共通ネットワークノードであり、典型的には、コンピュータ１３０と関連して説明される要素の多く又はすべてを含む。図５に描かれた論理結合には、ローカルエリアネットワーク（ＬＡＮ）１９６、ワイドネットワーク（ＷＡＮ）１９８を含んでいるが、さらに他のネットワークを含むこともある。ＬＡＮ１３６及び／又はＷＡＮ１３８は、有線ネットワーク、ワイヤレス・ネットワーク、その組合せなどである。そのようなネットワーキング環境は、オフィス、企業ワイドのコンピュータネットワーク、イントラネットおよびグローバルコンピュータネットワーク（例えばインターネット）において一般的である。
【００２８】
ローカル・エリア・ネットワーキング環境の中で使用されるときには、コンピュータ１３０は、ネットワークインターフェイスまたはアダプタの１８６によって、ＬＡＮ１９６に接続される。ワイドネットワーキング環境の中で使用されるときには、コンピュータ１３０は、典型的には、モデム１７８あるいはインターネットのようなＷＡＮ１９８の上のコミュニケーションを確立するための他の手段を含んでいる。モデム１７８は、内蔵型でも外部型でもありうるが、ユーザ入力インターフェース１８４経由あるいは他の適切な機構でシステム・バス１３６に接続される。ネットワーク化された環境では、コンピュータ１３０に比べて描かれたプログラムモジュール（又はその一部）は、リモート記憶記憶装置（図示せず）に格納されることもある。制限ではなく例示であるが、図５は、メモリ・デバイス上で駐在するリモートアプリケーション・プログラム１９２を例示している。示されたネットワーク接続は例示でありコンピュータ間で通信リンクを確立する他の手段が使用されてもよい。
【００２９】
一般に、コンピュータ１３０のデータ処理装置は、コンピュータの様々なコンピュータ可読媒体に異なる時に格納された命令によってプログラムされる。プログラムとオペレーティングシステムは、例えばフロッピー（登録商標）ディスクやＣＤ−ＲＯＭ上に分配される。そこから、これらは、コンピュータの補助記憶にインストール又はロードされる。実行の際には、それらは、コンピュータの主要な電子メモリに少なくとも部分的にロードされる。そのような媒体がマイクロプロセッサあるいは他のデータ処理装置と共に下記に述べられたオペレーションの実行のために命令またはプログラムを含んでいる場合、ここに記述された発明の実施例は、これらおよびコンピュータ可読の記憶媒体の他の多種類を含んでいる。
【００３０】
図解目的のために、プログラムや、オペレーティングシステムのような他の実行可能プログラム成分は、離散的なブロックとしてここに示されている。しかし、コンピュータの異なる記憶成分中の様々な時にそのようなプログラムおよび成分が存在し、コンピュータのデータ処理装置によって実行される。
【００３１】
コンピュータ１３０を含む典型的な計算機システム環境に関して記述されたが、発明の実施例は、多数の他の汎用または専用の計算機システム環境か構成で使用可能である。計算機システム環境は、使用あるいは発明の実施例の機能性のスコープに関してどんな制限も示唆するようには意図されない。さらに、計算機システム環境はどんな従属性あるいは任意のものあるいは典型的な操作環境中で例証された成分の組合せに関係のある要求も持っているとは解釈されるべきでない。周知の計算機システムの例、環境、または、構成、それは発明加算を備えた使用にふさわしいかもしれない、しかし制限されていない。パーソナルコンピュータ、サーバコンピュータ、携帯型のデバイスあるいはラップトップ・デバイス、マルチプロセッサーシステム、マイクロプロセッサ・ベース・システム、セットトップ・ボックス、プログラム可能な家電、携帯電話、ネットワークＰＣ、ミニコンピュータ、メインフレーム・コンピュータ、分散コンピューティング環境、それは、上記のシステムあるいはデバイスのうちのどれでも含んでいる。
【００３２】
動作の際には、サーバ３３として働くコンピュータ１３０は、関連するユーザのコミュニティのメディア・アイテム・レーティングに基づいたメディア・アイテム・レーティングをユーザに提供することには上記であると説明されたような方法を実行する。収集情報用の選択素子をユーザに提示するコンピュータ１３０あるいはその成分は、関連するユーザのコミュニティのユーザの分類のためにユーザに関係があった。コンピュータ又はそのコンポーネントは、受け取られたユーザ関連情報に基づいて、関連するユーザのコミュニティの中でユーザをカテゴリ化する。コンピュータ又はそのコンポーネントは、関連するユーザのコミュニティによってメディア・アイテムのレーティングに基づいて、ユーザによってアクセス可能なメディア・アイテムに対するコミュニティ・レーティングを提供する。
【００３３】
当業者は、ここに例証され記述された方法の実行に際しては、その順序は別段の定めがない限り不可欠ではないことを理解するはずである。すなわち、発明者であれば理解するように、方法の構成要素は、順不同であり別段の定めがない限り行うことができ、本発明による方法は、ここに示されたものよりも多い又は少ない構成要素を含むことがある。
【００３４】
この出願の元の英語による出願では、冠詞である「ａ」、「ａｎ」、「ｔｈｅ」及び「ｓａｉｄ」は、１又は複数の構成要素を意味する。また、「含む」、「備えている」、「有する」などの表現は、構成要素が含まれていることを示すだけであり、列挙された構成要素以外に追加的な要素が加わる可能性を排除していない。
【００３５】
以上を鑑みると、本発明の範囲から逸脱することなく、上述の製品及び方法において、様々な変更が可能である。この明細書及び図面に記載されたすべての内容は、例示であり制限を意味しない。
【図面の簡単な説明】
【００３６】
以下の複数の図面を通じて、対応する参照番号は対応する構成要素を示す。
【図１】メディア・アイテムのコミュニティ・ベースのレーティングを提供する本発明のシステムの図である。
【図２】本発明による方法の流れ図である。
【図２Ａ】本発明による方法の流れ図である。
【図２Ｂ】本発明による方法の流れ図である。
【図３】本発明の例示的なユーザ・インターフェースを示している。
【図４】本発明によるコンピュータ可読な媒体（ＣＲＭ）の図である。
【図５】本発明を実装することが可能な適当な計算システム環境の一例を図解しているブロック図である。
【００３７】
2008547108.tif 000003
2008547108.tif 000004
【図１】
2008547108.tif 000005
【図２】
2008547108.tif 000006
【図２Ａ】
2008547108.tif 000007
【図２Ｂ】
2008547108.tif 000008
【図３】
2008547108.tif 000009
【図４】
2008547108.tif 000010
【図５】
2008547108.tif 000011